(57)【要約】【課題】対象物に固定しやすく、緩衝材、封筒、外装箱等の複数の要素をひとつの部材で兼ねることができる梱包材を提供する。【解決手段】片面段ボール１がライナー３の一側面に貼り付けた中芯２を有し、中芯２がライナー３に貼り付ける面とは反対側の面に、少なとも山部に剥離再接着可能な接着剤を塗布した接着面２１を有し、この片面段ボール１が中芯２の接着面２１で対象物４に貼り付いて対象物４を挟み、あるいは対象物４に巻き付き、対象物４の周囲において対向する片面段ボール１の接着面２１どうしの圧着により対象物４を封止し、片面段ボール１が緩衝材と外装材を兼ねて梱包品を形成する。【選択図】図１
0003234512.tif 000002
【実用新案登録請求の範囲】
【請求項１】
片面段ボールがライナーの一側面に貼り付けた中芯を有し、中芯がライナーに貼り付ける面とは反対側の面に、少なくとも山部に剥離再接着可能な接着剤を塗布した接着面を有し、この片面段ボールが中芯の接着面で対象物に貼り付いて対象物を挟み、あるいは対象物に巻き付き、対象物の周囲において対向する片面段ボールの接着面どうしの圧着により対象物を封止し、片面段ボールが緩衝材と外装材を兼ねて梱包品を形成することを特徴とする梱包材。
【請求項２】
ライナーが撥水紙からなることを特徴とする請求項１に記載の梱包材。
【考案の詳細な説明】
【技術分野】
【０００１】
本考案は、書類等の対象物の梱包に用いられる梱包材に関するものである。
【背景技術】
【０００２】
従来、通信販売等による商品の発送に使用される緩衝材には種々ものものがあり、例えば特許文献１に記載するものがある。これは、緩衝用部材とシート状基材とを重ね合わせたものであり、緩衝用部材が並行な複数の折り部により繰り返し折り返された連続する凹凸形状を有している。シート状基材は、幅寸法が緩衝用部材の折り部の折り方向における幅寸法よりも両幅側において広く設けられている。
【０００３】
また、商品の発送においては、例えば気泡緩衝材等の緩衝材に包んだ商品を封筒に入れて送付し、あるいは包装箱と同サイズの厚紙と一緒にフィルムでラッピングした商品を段ボールの包装箱に梱包して送付する形態もある。
【０００４】
さらに、折れ曲がりを嫌う書類を郵送する場合には、厚紙や両面段ボール等の厚手の梱包材を２枚用いて、或は１枚の梱包材を２つ折りにして書類を挟み、これを封筒に入れて送付している。
【先行技術文献】
【特許文献】
【０００５】
【特許文献１】特開２００８−１００７５９
【考案の概要】
【考案が解決しようとする課題】
【０００６】
従来の梱包材を使用した梱包はコストが高く、梱包作業に多大な人手と時間を要する問題がある。また、単に梱包材で書類等を挟んだだけでは、書類がずれる動きを防止することはできず、特に書類が多数の場合にはこのずれる動きが顕著となり、書類の隅が折れ曲がるという問題があった。このため、書類がずれる動きを防止するために、相対する梱包材の端部をガムテープ等で閉じ合わせ、書類を梱包材間にしっかりと挟持する方法が採られている。
【０００７】
しかし、書類の動きを完全に防止するためには、書類が動き得る空間が生じないように、梱包材を書類の寸法に合わせた大きさとし、且つ、梱包材を書類に押さえつけた状態で端部を閉じ合わせなければならず、その作業は比較的困難である。
【０００８】
また、梱包材として画面段ボールを用いた場合、耐衝撃性においては優れているが、曲げにくいという欠点があり、梱包には不適であった。
【０００９】
本考案は上記課題を解決するものであり、対象物に固定しやすく、緩衝材、封筒、外装箱等の複数の要素をひとつの部材で兼ねることができる梱包材を提供することを目的とする。
【課題を解決するための手段】
【００１０】
上記課題を解決するために、本考案に係る梱包材は、片面段ボールがライナーの一側面に貼り付けた中芯を有し、中芯がライナーに貼り付ける面とは反対側の面に、少なくとも山部に剥離再接着可能な接着剤を塗布した接着面を有し、この片面段ボールが中芯の接着面で対象物に貼り付いて対象物を挟み、あるいは対象物に巻き付き、対象物の周囲において対向する片面段ボールの接着面どうしの圧着により対象物を封止し、片面段ボールが緩衝材と外装材を兼ねて梱包品を形成することを特徴とする。
【００１１】
また、本考案の梱包材は、ライナーが撥水紙からなることを特徴とする。
【考案の効果】
【００１２】
以上のように、本考案によれば、梱包材は、構成材の片面段ボールを対象物に貼り付けることができるので、対象物と片面段ボ―ルとが一体となり、対象物を片面段ボールに対して不動にすることができる。この接着性により対象物を押さえながら梱包する必要がなく、梱包の際の手間が軽減される。
【００１３】
このため、対象物に巻き付けた片面段ボールの接着面どうしを圧着させて内部に対象物を封入して梱包品を形成することが容易に行え、一つの片面段ボールが緩衝材と外装材を兼ねる梱包材となる。
【００１４】
また、ライナーが撥水紙からなることで、撥水性を備えた梱包品を容易に形成することができ、搬送中の水濡れによる商品の損傷を防止でき、また外装のビニール袋等の梱包材が不要となり、コストを低減できる。
【００１５】
さらに、片面段ボールが対象物または片面段ボール自体と接着することによって両面段ボールと同様な構造となり、衝撃に対して対象物を効果的に保護することができる。また、片面段ボールは、柔軟性に富み、且つ、容易に剥がすことができるので、梱包された対象物の取出しが容易となる。
【図面の簡単な説明】
【００１６】
【図１】本考案の実施例に係る梱包材で書類等の対象物を梱包する手順を示し、開いた片面段ボール上に対象物を配置した状態を示す斜視図
【図２】同実施例に係る梱包材で書類等の対象物を梱包する手順を示し、片面段ボールを対象物に巻き付け状態を示す斜視図
【図３】図２において対象物に梱包材が巻き付いた梱包品の断面図
【図４】同実施例に係る梱包材の別の使用形態を示す斜視図
【考案を実施するための形態】
【００１７】
以下、本考案の実施の形態を図面に基づいて説明する。図１から図３において、梱包材５は、構成材の片面段ボール１が、波形に成形された中芯２の一方の面にライナー３を張り付けた通常の形態の片面段ボールであり、ライナー３は撥水紙からなる。
【００１８】
中芯２はライナー３に貼り付ける面とは反対側の面が、その全面に互って剥離再接着可能な接着剤が塗布された接着面２１を有する。
【００１９】
本実施の形態において、接着剤は中芯２の全面に互って塗布しているが、接着面２１は接着剤を少なくとも中芯２の山部に塗布すれば形成することができる。
【００２０】
この剥離再接着可能な接着剤には、種々のものが一般に知られているが、ここではアクリルエマルジョンを主成分とした合成のりを使用する。剥離再接着可能な接着剤は、一度接着した後も、対象物に何等の影響も与えることなく、剥離と接着を繰り返し行うことができる特徴を有している。
【００２１】
この構成の梱包材５を、緩衝材と外装材を兼ねて使用し、対象物４の梱包を行う場舎について説明する。
【００２２】
まず、図１に示すように、接着面２１を上に向けて１枚のシート状の片面段ボール１を広げる。中芯２の上の適当位置に書類等の対象物４を載せる。
【００２３】
次に、片面段ボール１を対象物４の一側の縁部に沿って折り返し、折り返した片面段ボール１で対象物４の上面を覆い、片面段ボール１の接着面２１を対象物４に接触させ、軽く押し圧し、中芯２の接着面２１を対象物４に貼り付け、片面段ボール１で対象物４を挟む。
【００２４】
そして、図２、図３に示すように、対象物４の周囲において余っている片面段ボール１の一方の端部１１を、これに対向している他方の端部１２に重ね合わせて接着面２１同士を接着させ、片面段ボール１の端部１１、１２の接着面２１どうしの圧着により対象物４を封止する。
【００２５】
端部１１、１２の接着面２１どうしの圧着作業においては、対象物４と片面段ボール１が一体化しているので、片面段ボール１と対象物４の位置ずれを伴うことなく、端部１１、１２の処理を容易に行える。端部１１、１２の余りが大き過ぎる場合には必要に応じて切断除去する。
【００２６】
このように梱包された対象物４は、図３に示すように、片面段ボール１の中芯２の接着面２１に接着して片面段ボール１と一体化しているので、対象物４がずれる動きが完全に防止できる。
【００２７】
また、片面段ボール１が中芯２の接着面２１で対象物４に接着することで、対象物４のそれ自体が両面段ボールの一方のライナーと同等に作用し、片面段ボール１が両面段ボールとして機能し、耐衝撃性が飛躍的に向上する。また、片面段ボール１同士を接着させた端部も、両面段ボール状となり、この部分の強度も増大する。
【００２８】
このように、一つの片面段ボール１が梱包に要する複数部材の緩衝材、外装材等を兼ね、１枚のシート状の片面段ボール１が封筒、箱等の対象物４を収納する空間のある梱包材５となることで梱包品の形成が容易に完了する。
【００２９】
さらに、梱包品の端部１１、１２の縁にテープを貼ることで、誤開封の防止、異物の侵入防止等の効果を期待できる。
【００３０】
また、ライナー３が撥水紙からなることで、撥水性を備えた梱包品を容易に形成することができ、搬送中の水濡れによる商品の損傷を防止でき、また外装のビニール袋等の梱包材が不要となり、コストを低減できる。
【００３１】
この片面段ボール１の使用方法としては、上述したような、２つ折りにした片面段ボール１の間に対象物４を挟持する形にしてもよいが、その他、図４に示すように、片面段ボール１を対象物４の周りに巻き付け、片面段ボール１の一方の端部１１の上に他方の端部１２を重ねることもできる。
【００３２】
ここでは、片面段ボール１と対象物４がほぼ同じ幅である場合を示しているが、片面段ボール１の幅が対象物４よりも長い場合には、対象物４の周囲において余っている片面段ボール１の一方の端部１１を、これに対向している他方の端部１２に重ね合わせて接着面２１同士を接着させて対象物１を封止して梱包することも可能である。また、図示しないが、２枚の段ボールを用いる方法等、対象物の大きさ、形状に合わせて適宜変更することも可能である。
【符号の説明】
【００３３】
１    片面段ボール
２    中芯
３    ライナー
４    対象物
５    梱包材
１１、１２  端部
２１    接着面
【図１】
0003234512.tif 000003
【図２】
0003234512.tif 000004
【図３】
0003234512.tif 000005
【図４】
0003234512.tif 000006